(57)【要約】      （修正有）【課題】製造が容易で、再現可能な開封を実現するフィルム包装体及びその中に製品を包装する方法を提供する。【解決手段】本発明は、長手方向（ｌ）及び横手方向（ｑ）に拡がる前面部（２）と、長手方向（ｌ）及び横手方向（ｑ）に拡がる背面部（３）とを有するフィルム包装体（１）に関する。ここで、前面部（２）と背面部（３）とは、横手方向（ｑ）に延在する横シール目（６）により互いに接合されている。この横シール目は、フィルム包装体（１）の終端縁部（５）を形成している。本発明によれば、前面部（２）上及び背面部（３）上に、それぞれが長手方向（ｌ）に延在する少なくとも二つの弱体化線（７）が設けられており、これらの弱体化線が、前面部全体（２）及び背面部全体（３）にわたって長手方向（ｌ）に延びている。本発明は、さらに、特に本発明によるフィルム包装体（１）の中に製品を包装する方法に関する。【選択図】図１
2017145051.tif 000002
【特許請求の範囲】
【請求項１】
長手方向（ｌ）及び横手方向（ｑ）に拡がる前面部（２）と、長手方向（ｌ）及び横手方向（ｑ）に拡がる背面部（３）とを有するフィルム包装体（１）であって、
前面部（２）と背面部（３）とは、横手方向（４）おいて延在する横シール目（６）を介して互いに接合されており、当該横シール目がフィルム包装体（１）の終端縁部（５）を形成しているフィルム包装体において、
前面部（２）上及び背面部（３）上に、それぞれが長手方向（ｌ）において延在する少なくとも二つの弱体化線（７）が設けられており、当該弱体化線が、前面部（２）全体及び背面部（３）全体にわたって長手方向（ｌ）に延びていることを特徴とするフィルム包装体。
【請求項２】
横シール目（６）は、前面部（２）及び背面部（３）の全幅にわたって延びていることを特徴とする請求項１に記載のフィルム包装体（１）。
【請求項３】
横シール目（６）に入裂補助部（１５）が設けられていることを特徴とする請求項１又は２に記載のフィルム包装体（１）。
【請求項４】
弱体化線（７）は、互いに平行に揃えられていることを特徴とする請求項１乃至３のいずれか一項に記載のフィルム包装体（１）。
【請求項５】
前面部（２）及び背面部（３）上に、それぞれ少なくとも三つの弱体化線（７）が設けられており、弱体化線（７）は、前面部（２）及び／又は背面部（３）上で横手方向（ｑ）において、最も外側の左側の弱体化線と、最も外側の右側の弱体化線との間で等間隔に設けられていることを特徴とする請求項１乃至４のいずれか一項に記載のフィルム包装体（１）。
【請求項６】
弱体化線（７）は、横手方向（ｑ）において前面部（２）及び／又は背面部（３）の全幅にわたって配分されていることを特徴とする請求項１乃至５のいずれか一項に記載のフィルム包装体（１）。
【請求項７】
弱体化線（７）は、横手方向（ｑ）において或る領域に限られていることを特徴とする請求項１乃至５のいずれか一項に記載のフィルム包装体（１）。
【請求項８】
少なくとも外側の弱体化線（７）は、長手方向（ｌ）に平行に揃えられていることを特徴とする請求項１乃至７のいずれか一項に記載のフィルム包装体（１）。
【請求項９】
前面部（２）及び背面部（３）が、単一のフィルム部分から形成されていることを特徴とする請求項１乃至８のいずれか一項に記載のフィルム包装体（１）。
【請求項１０】
前面部（２）及び背面部（３）が、側方の折目により、少なくとも一つの側縁（４）において互いに接合されていることを特徴とする請求項１乃至９のいずれか一項に記載のフィルム包装体（１）。
【請求項１１】
長手方向（ｌ）及び横手方向（ｑ）に拡がる前面部（２）と、長手方向（ｌ）及び横手方向（ｑ）に拡がる背面部（３）とを形成するためのフィルム材料（８）を供給することにより、前面部（２）と背面部（３）との間に包装内部空間を形成し、包装内部空間内の前面部（２）と背面部（３）との間に製品を配し、その後、少なくとも、横手方向（ｑ）に延びていて背面部（３）に前面部（２）を接合する横シール目（６）によって包装内部空間を封止する特に請求項１乃至１０に記載のフィルム包装体（１）の中に製品を包装する方法（１４）において、
前面部（２）を形成するための、供給されるフィルム材料（８）及び背面部（３）を形成するための、供給されるフィルム材料（８，８‘）には、それぞれ長手方向に延在する少なくとも二つの弱体化線（７）が設けられており、これら弱体化線が、前面部（２）及び背面部（３）の全長にわたって長手方向に延びていることを特徴とするフィルム包装体（１）の中に製品を包装する方法（１４）。
【請求項１２】
前面部（２）及び背面部（３）のためのフィルム材料（８，８‘）を無端で供給し、製品（１４）が中に入っているフィルム包装体（１）を、横シール目（６）を形成している間或いは形成した後で所定長さに切断することを特徴とする請求項１１に記載の方法
【請求項１３】
予め作られた弱体化線（７）を有した前面部（２）及び背面部（３）のためのフィルム材料（８，８‘）を半製品として供給することを特徴とする請求項１１又は１２に記載の方法。
【請求項１４】
製品を詰める前に、特にレーザ切断、切り込み、機械的材料除去又は機械的な打刻により、前面部（２）及び背面部（３）に弱体化線（７）を入れることを特徴とする請求項１１又は１２に記載の方法。
【請求項１５】
製品（１４）を詰める前に、フィルム材料（８）の単一のウェブから、前面部（２）及び背面部（３）を有するフィルムチューブ（１０）を形成することを特徴とする請求項１１乃至１４のいずれか一項に記載の方法。
【発明の詳細な説明】
【技術分野】
【０００１】
本発明は、長手方向及び横手方向に拡がる前面部と、長手方向及び横手方向に拡がる背面部とを有するフィルム包装体に関する。前面部と背面部とは、横手方向に延在する横シール目により互いに接合されている。横シール目は、同時にフィルム包装体の終端縁部になっており、この横シール目が、製品を収納するために、前面部と背面部との間に設けられた包装内部空間を、外界に対して長手方向に仕切るようになっている。その際、前面部及び／又は背面部が、横シール目の包装内部空間と反対側から長手方向に飛び出していても差支えはない。また、本発明の対象は、製品を包装する方法、とりわけ、本発明によるフィルム包装体の中に製品を包装する方法でもある。
【背景技術】
【０００２】
本発明に係るフィルム包装体は、特に、いわゆる“フォーム・フィル・シール”（Ｆｏｒｍ  Ｆｉｌｌ  ａｎｄ  Ｓｅａｌ）（ＦＦＳ）法で製造し且つ同時に詰めることができる。このとき、フィルム材料は、長手方向及び横手方向に拡がる前面部と、長手方向及び横手方向に拡がる背面部とを形成するように供給されるため、前面部と背面部との間に包装内部空間が形成される。前面部と背面部との間の包装内部空間内には製品が配され、その後、横手方向に延びていて背面部に前面部を接合する横シール目により包装内部空間が封止される。
【０００３】
この種の方法は、フィルム材料からなる取扱い易い外部包装（Ｕｍｖｅｒｐａｃｋｕｎｇ）を任意の製品に施すために、自動包装ラインで大規模に使用される。その場合、当該方法は、あらゆる製品タイプに対しても適している。そのため、とりわけ直方形状ないし棒状の製品がこの種の包装方法に特に良好に適している。もっとも、例えば顆粒体、粉体といった注ぎ込み可能な物品（ｓｃｈｕｅｔｔｆａｅｈｉｇｅ  Ｇｕｅｔｅｒ）、さらには液体ですらも、いわゆるＶＦＦＳ（Ｖｅｒｔｉｃａｌ  Ｆｏｒｍ  Ｆｉｌｌ  Ｓｅａｌ）（縦型フォーム・フィル・シール）（縦型ピロー包装）工程として垂直にＦＦＳ工程が行われるのであれば、ＦＦＳ工程で処理することができる。その場合には、フィルム包装体は、包装体が側方と下側でしっかり密閉されているように初めに前もって仕上げられることで、注ぎ込み可能な製品が上から充填できるようになっている。フィルム包装体は、その後、頂部側の横シール目により封止される。
【０００４】
搬送と袋成形を通して高い機械的要求に耐えられるように、好ましくは高い強度を持つフィルム材料がＦＦＳ法を実施するために用いられる。好ましくは、ＯＰＥＴ（Ｏｒｉｅｎｔｉｅｒｔｅｓ  Ｐｏｌｙｅｔｈｙｌｅｎｔｅｒｅｐｈｔｈａｌａｔ：配向ポリエチレンテレフタレート）やＢＯＰＰ（Ｂｉａｘｉａｌ  ｏｒｉｅｎｔｉｅｒｔｅｓ  Ｐｏｌｙｐｒｏｐｙｌｅｎ：二軸配向ポリプロピレン）といった配向された或いは二軸配向されたポリマーフィルムが用いられる。セルロースベースのフィルムシート（ｚｅｌｌｕｌｏｓｅｂａｓｉｅｒｔｅ  Ｆｏｌｉｅｎｓｃｈｉｃｈｔ）も利用目的にとりわけよく適っている。
【発明の概要】
【発明が解決しようとする課題】
【０００５】
しかしながら、これらの材料は、裂け方が予見できないという特性（予見不能な裂け特性）（ｕｎｖｏｒｈｅｒｓｅｈｂａｒｅｓ  Ｒｉｓｓｖｅｒｈａｌｔｅｎ）を持つという欠点がある。というのは、上述の材料からなる材料シートは、確かに簡単には裂けるものの、その後の裂け目の広がりは、殆どが予期せぬように進展する。例えばシール層や被覆層といった別の機能層を持つ多層の複合フィルムであっても、裂け特性は、殆どと言ってよい程、弾力のないもろい層で決まってしまう。このため、ユーザは、かなり制約を受けながらでないとＦＦＳ法で製造されたフィルム包装体を裂開（Ａｕｆｒｅｉｓｓｅｎ）できない。普通は、少なくとも一つのシール目を開けてフィルム包装体を開封することの方がよほど使い易い。この点は、例えばスナック包装の分野では知られている。
【０００６】
にもかかわらず、最新のＦＦＳ包装でも、きちんと決められた裂開の仕方を提供することが望まれている。こういったことは、棒状の製品のとき等に十分な大きさの再現可能な開封を実現するのに必要となり得る。こうすることで、製品は、例えばそっくり取り出すことができる。注ぎ込み可能な物品の場合でも、注ぎ出すときに収集がつかなくなることのないように、きちんと決められた開封は欠くことができない。しかしながら、作り易さが同時に保たれたままでなければならない。
【課題を解決するための手段】
【０００７】
この課題の解決手段及び本発明の対象は、請求項１に記載のフィルム包装体及び請求項１１に記載の方法である。好ましい形態は、下位請求項に記載されている。
【０００８】
これに属するフィルム包装体は、長手方向及び横手方向に拡がる前面部と、長手方向及び横手方向に拡がる背面部とを有している。前面部と背面部とは、横手方向に延在する横シール目を介して互いに接合されており、この横シール目がフィルム包装体の終端縁部を形成している。本発明によれば、前面部上及び背面部上に、それぞれが長手方向に延在する少なくとも二つの弱体化線が設けられており、これらの弱体化線が、前面部全体及び背面部全体にわたって長手方向に延びている。前面部及び背面部は、配向ポリマー、とりわけＯＰＥＴないしＢＯＰＰを使った好ましくは少なくとも一つのプラスチック層を有している。本発明の構成によれば、思い通りにならない裂け目が出来がちな、例えば、ＯＰＥＴやＢＯＰＰといったフィルム材料を使ったフィルム包装体の場合でさえ、確実且つ再現可能な裂開特性（Ａｕｆｒｅｉｓｓｖｅｒｈａｌｔｅｎ）を保証することができる。終端縁部を形成する横シール目は、簡単且つ決まった位置で裂け目を入れることができ、それに従って、隣り合わせに設けられた二つの弱体化線の間を裂け目が案内される。
【０００９】
弱体化線とは、フィルム材料の線状もしくはストライプ状の領域のことで、その機械的な耐久性（Ｗｉｄｅｒｓｔａｎｄｓｆａｅｈｉｇｋｅｉｔ）が低くされているもののことである。弱体化線によって、フィルム材料内の裂け目の広がり方を制御することができる。これは、機械的な強度が最も低い領域に向かって裂け目が成長する傾向があるためである。弱体化線は、とりわけ、材料の厚さや強度を減らしたり且つ／又は材料特性を局所的に変更したりすることによって、作り出すことができる。これは、フィルム材料を製造するときや事後的にも行うことができる。弱体化線は、とりわけ、一つながりに、或いは区間に分けて断続的に形成されていてもよい。ここで、区間に分かれた断続的な弱体化線は、本発明では、長手方向にわたるその全ての長さにわたって一様に繰り返されるパターンを有したミシン目として設けられるといったことを意図している。
【００１０】
少なくとも二つの弱体化線のそれぞれは、目的に合わせ、前面部ないし背面部の同じ外表面に設けられている。好ましくは、弱体化線は、前面部ないし背面部の材料内への同じ侵入深さを有しており、多層構造の場合であれば、同じ部分層内に延びている。特に好ましくは、少なくとも二つの弱体化線は、同じに作られている。
【００１１】
本発明により、前面部上にも背面部上にも多数の弱体化線が備えられていることで、フィルム包装体の特に有利な開封を可能にすることができる。このとき、フィルム包装体は、二本の弱体化線の間で裂開することで、長手方向に沿って分割される。こうして、棒状の製品は、部分的に開封されるとてっぺんの側から一部だけが開封部から飛び出し、少しずつ消費することができる。棒状の食品は、例えば、一部が剥かれたバナナのようにして食べることができる。これに代えて、袋包装の半分を完全に分離して、製品を横手方向に全て取り出すことができる。
【００１２】
このことは、フィルム包装体の長手方向における長さ（拡がり）（縦に延びた長さ）が、横手方向におけるもの（横に延びた長さ）より長い場合には、とりわけ有利である。縦に延びた長さが、横に延びた長さの１．５倍よりも長い、とりわけ２倍よりも長いときに、特段の利点を得ることができる。というのも、この場合、裂け目が広がるときのずれが僅かでも、フィルム包装体がきれいに縦に分かれなくなってしまいかねないからである。
【００１３】
長手方向に延在する少なくとも二本の弱体化線を、前面部及び背面部上にそれぞれ平行に敷設することで、本発明によるフィルム包装体において、硬いフィルム構成要素（Ｆｏｌｉｅｎｋｏｍｐｏｎｅｎｔｅ）にもかかわらず大体真直ぐな裂け特性を保証することができる。同時に、包装工程中に弱体化線に沿って裂開が起きる危険は最小限である。というのも、フィルム材料は、引張られた状態にほとんど置かれている上、横シール目を作成するための横手方向に延在する接合器具によって補強されるからである。裂け目を開始させる可能性のある前面部ないし背面部に対する垂直な剪断力や曲げモーメントは、殆ど生じない。このことが一層当てはまるのは、フィルム材料が包装工程中に搬送される装置方向と、前面部及び背面部の長手方向とが一致するときである。
【００１４】
横シール目は、好ましくは前面部及び背面部の全幅にわたって拡がる。こうして、他に補助手段を用いることなく、この終端縁部において密閉した終端を得ることができる。加えて、フィルム包装体は、横シール目によって、全幅にわたって補強される。使用領域次第で、熱封止又は冷封止を用いて横シール目を作ることができる。本発明の範囲内で接着接合も可能である。
【００１５】
特に好ましくは横シール目のところに入裂補助部が設けられている。これにより、横シール目に裂け目を入れ易くできる。入裂補助部は、例えば少なくとも一つの切り口（ノッチ）或いはジグザグ形状の裁断縁部として形成することができる。これは、横シール目の全幅にわたって延びていてもよいし、裂け目を好適に入れるべき部分に限られるのでもよい、特に、入裂補助部は、弱体化線間の部分にだけ設けられており、フィルム包装体の側方の外縁とそれに最も近い弱体化線との間の周縁部分には設けられていない。
【００１６】
特に好ましくは、弱体化線は、互いに平行に揃えられている。これにより、裂け目が広がるのに一定幅の回廊地帯（Ｋｏｒｒｉｄｏｒ）が利用できるようになる。
【００１７】
前面部及び／又は背面部上に、それぞれ少なくとも三つの弱体化線を横手方向に等間隔に設けることが特に好ましい。これにより、裂け目を入れる場所を、より広い範囲において使用者に委ねることができる。それでも、一旦裂け目が入れられると、最隣接の二本の弱体化線により形成されたチャンネル内を略真直ぐにフィルム包装体の反対側の終端縁部に達するまで裂け目が誘導され続けられる。
【００１８】
好ましくは、弱体化線は、横手方向において前面部及び／又は背面部の全幅にわたって配分されている。これにより、使用者は、どの部分で包装を裂開したいのかの選択がとりわけ自由である。
【００１９】
他の好ましい形態において、弱体化線は、横手方向において或る領域に限られている。これにより、使用者は、限られた領域でフィルム包装体を裂開しなければならないことが示される。このことは、その領域の然るべく位置決めされた入裂補助部及び／又は視覚的な目印によりさらにサポートすることができる。このことは、製品がその目的によって特定の部分しか直に触れてはならないようなときには特に重要となる。必要に応じて、弱体化線が設けられている領域は概ね半分である。同様に、フィルム包装体の外側の３分の１の一方又は双方に、あるいは中央部分に弱体化線が備えられているというのも実用的である。
【００２０】
好ましくは、少なくとも外側の、つまり側方の包装縁部に最も近く位置する弱体化線は、長手方向に平行に揃えられている。これにより、裂け目は、いかなる場合も側方の袋の縁に達しないように広がる。こうして、フィルム包装体の完全な分割が可能である。
【００２１】
特に好ましいのは、前面部上の各弱体化線が、背面部上の弱体化線にぴったり重なるように揃えられているときである。それにより、前面部上でも背面部上でも裂け目の形成の際に同じ境界条件（Ｒａｎｄｂｅｄｉｎｇｕｎｇ）が得られる。
【００２２】
好ましい形態において、前面部及び背面部は、単一のフィルム部分から形成されている。このフィルム部分は、その全幅に亘って弱体化線を一律に備えている。フィルム部分は、目的に合わせて、フィルム部分の内面の一部分が、フィルム部分の内面の他の一部分に接合されるいわゆるフィンシール（Ｆｌｏｓｓｅｎｎａｈｔ）を介して、或いは、重畳部分を介して、一つのフィルムチューブ（フィルム筒）（Ｆｏｌｉｅｎｓｃｈｌａｕｃｈ）に閉じられているというのでもよい。
【００２３】
好ましくは、前面部及び背面部は、側方の折目（Ｓｅｉｔｅｎｆａｌｔｅ）により少なくとも一つの側縁において接合されている。側方の折目は、前面部及び／又は背面部と同じフィルム部分から或いはまた別々のフィルム部分から形成されている。側方の折目により、袋内部空間が大きくなり、積載性（Ｓｔａｐｅｌｖｅｒｈａｌｔｅｎ）が改善する。好ましくは、側方の折目は、裂け目の広がりが前面部及び背面部上に限られるように、弱体化線なしで形成されている。代替的ないし付加的に、フィルム包装体は、横シール目と反対側にスタンド底部（Ｓｔａｎｄｂｏｄｅｎ）が装備されていてもよい。
【００２４】
本発明によるフィルム包装体を形成するための好ましくいフィルム材料は、厚さ２０μｍを有するＢＯＰＰからなる外層と、当該外挿と積層接着材層（Ｋａｓｃｈｉｅｒｋｌｅｂｅｒｓｃｈｉｃｈｔ）を介して接合された、同じく厚さ２０μｍを有する金属被覆された二軸配向性ポリプロピレン（ｍｅｔＢＯＰＰ）からなる内層とを有する多層積層体である。金属被覆されたポリマー層は、水蒸気や酸素の侵入に対するバリアとして機能する。外層は、内層に臨む内面側に印刷を施すことができる。外層は、実質的に透明で、印刷が外側から見えるようになっており、その一方で、印刷が外層により損傷から護られるようになっている。フィルム包装体が冷封止法で閉じられなければならないときは、さらに内層の内面に一層の冷封止接着剤が塗布されているようにしてもよい。
【００２５】
本発明は、フィルム包装体の中に製品を包装する方法であって、長手方向及び横手方向に拡がる前面部と、長手方向及び横手方向に拡がる背面部とを形成するためのフィルム材料を供給することで、前面部と背面部との間に包装内部空間を形成するようにした方法に基づく。製品は、包装内部空間内の前面部と背面部との間に配される。その後、包装内部空間は、横手方向に延びていて背面部に前面部を接合する少なくとも一つの横シール目により封止される。本発明により、前面部及び背面部上には、それぞれ長手方向に延在する少なくとも二つの弱体化線が設けられており、これら弱体化線が、前面部及び背面部の全長にわたって長手方向に延びている。本方法は、本発明によるフィルム包装体を提供するのに特に適している。
【００２６】
好ましい形態において、前面部及び背面部のためのフィルム材料は、無端で供給される。包装が行われた後、製品が中に入っているフィルム包装体は、横シール目を形成した後或いは形成している間に所定長さに切断される。このとき、フィルム材料は、横シール目の部分で切り離される。代替的に、フィルム材料を部分的にのみ、とりわけミシン目の形で切り離すことも可能である。これによって、使用者或いは機械が事後的に開封することのできる目標破断位置（Ｓｏｌｌｂｒｕｃｈｓｔｅｌｌｅ）が作成される。
【００２７】
目的に合わせて、切り取り線が全部又は部分的にシール目を通して延在している。これにより、前面部と背面部とが互いに接合されている部分が、切り取り線の両側に残る。これにより、フィルム包装体の袋内部空間を閉鎖する横シール目の一部が、同時に、連続的な工程においてその後に製造されるフィルム袋を区切るための脚部シール目（Ｆｕｓｓｓｉｅｇｅｌｎａｈｔ）としての役割を果たす。それとともに、シール目は、長手方向におけるフィルム包装体の終端を形成することで、前面部と背面部とを互いに離すことができなくなり、これらをまとめて裂開することができるようになる。
【００２８】
さらに、フィルム包装体は、終端縁部に入裂補助部を備えることが目的に適う。これは、例えばジグザグ裁断部（Ｚｉｃｋｚａｃｋｓｃｈｎｉｔｔ）として形成することができる。特に好ましくは、連続的に製造されたフィルム包装体を切り落とすのと同時に裁断部が形成されるようにしてもよい。好ましくは、入裂補助部は、長手方向に延在する弱体化線の間において機能が発揮できるように設けられている。これによって、少なくとも二つの弱体化線の間で裂け始め易くなるので、裂け目がその後に制御の効かないままフィルム包装体の側方端部に逸れて行ってしまうことはあり得なくなる。
【００２９】
好ましくは、予め作成された弱体化線を有した前面部及び／又は背面部のためのフィルム材料が半製品として供給される。これにより、包装設備は、フィルム材料が先ず製造され及び／又は後処理されなくてもよいので、全体としてコンパクトに構成することができる。また、フィルム材料として、内側に位置する層或いは内側に位置する層境界面に弱体化線が形成されている予め作成された多重の積層体をとりわけ容易に用いることができる。こうして、フィルム積層体により、外見は統一感のある高価値の印象が与えられる。長手方向が機械方向と一致すると、供給装置は、さらに極めて簡単に構成することができる。それは、前面部と背面部が互いに特定の位置、姿勢に配置されなくてもよいからである。
【００３０】
他の好ましい形態では、弱体化線は、製品を詰める前に、前面部及び／又は背面部に入れられる。これには、特にレーザ切断、切り込み（Ａｎｓｔａｎｚｅｎ）、機械的な材料除去（いわゆるスクレーピング（Ｓｃｒａｐｉｎｇ））又は機械的な打刻（Ｐｒａｅｇｅｎ）が適している。この場合も、長手方向が機械方向と一致していると有利である。それは、連続的且つ同期なしで弱体化線を入れることができるからである。
【００３１】
製品を詰める前に、前面部及び背面部を有するフィルムチューブが単一の材料ウェブから形成されることが目的に適っている。このフィルムチューブは、いわゆるフィンシールによって或いは重畳接合（ＵＥｂｅｒｌａｐｐｖｅｒｂｉｎｄｕｎｇ）により閉鎖することができる。
【００３２】
以下に、専ら実施例のみを示した図面に基づき本発明を説明する。
【図面の簡単な説明】
【００３３】
【図１】本発明によるフィルム包装体の平面図である。
【図２Ａ】ＶＦＦＳ工程の形態で本発明による方法を示す図である。
【図２Ｂ】ＨＦＦＳ工程としての本発明による方法の形態を示す図である。
【図３Ａ】他の実施形態における開封されたフィルム包装体を示す図である。
【図３Ｂ】さらに他の実施形態における部分的に開封されたフィルム包装体を示す図である。
【発明を実施するための形態】
【００３４】
図１は、長手方向ｌ及び横手方向ｑに拡がる前面部２を有した本発明によるフィルム包装体１を示す。ここで、長手方向ｌ（縦に延びた長さ）におけるフィルム包装体１の長さ（Ｅｒｓｔｒｅｃｋｕｎｇ）は、横手方向ｑにおける長さ（横に延びた長さ）より長い。前面部２の後ろ側に当該前面部２により見えない状態で背面部３が配置されている。当該背面部３は、同じく長手方向ｌ及び横手方向ｑに拡がっている。前面部２と背面部３とは、一周するフィルムチューブを形成するようにしてフィルム包装体１の側方の縁部４において互いに接合されている。上側と下側の終端縁部５において、前面部２と背面部３とは、それぞれ横シール目６を介して互いに接合されている。これにより、前面部２と背面部３と間に設けられた包装内部空間が密封される。本発明によれば、前面部２上にも背面部３上にも多数の弱体化線７が設けられており、これらの弱体化線が、前面部２全体及び背面部３全体にわたって長手方向ｌに延びている。
【００３５】
本実施例では、横シール目６は、上側でも下側でも前面部２及び背面部３の全幅にわたって横手方向ｑに延在している。終端縁部５には、横シール目６に向かって入り込んだジグザグ裁断部の形態の入裂補助部１５が設けられている。ジグザグ裁断部は、同じくフィルム包装体１の全幅にわたって横手方向ｑに延在している。弱体化線７は、互いに平行に且つフィルム包装体１の長手方向ｌに平行に設けられており、フィルム包装体１の全幅にわたって、外縁４の間で横手方向ｑに等間隔に配分されている。
【００３６】
図２Ａには、本発明によるフィルム包装体の一実施形態を製造することのできる本発明による方法の一実施例が示されている。フィルム包装体１の前面部２も背面部３も形成するためのフィルム材料８が、予め製造された半製品としてロールから引き出される。この場合、フィルム材料８には、フィルム材料８の搬送方向に平行に延びる弱体化線７が予め設けられているフィルム材料８のウェブは、その後、巻折され、これにより、その側方の縁部９が、互いに当接した状態にもたらされることで、当該側方の縁部９に続くフィルム材料８内面が面で当接するようになっている。フィルム材料は、この部分でいわゆるフィンシールによってそれ自身が接合し、一周するフィルムチューブ１０が出来る。この中に、注ぎ込み可能とされているような製品１４を充填漏斗１１を使って投入することができる。組み合わされた後続の裁断・封止ステーション１２において、フィルムチューブ１０に横シール目６が搬送方向を横切るように形成され、これが同時にその延在する長さに沿って大体真ん中あたりで分断される。これにより、本発明によるフィルム包装体１がフィルムチューブ１０から切り離され、これが同時に上側の横シール目によって封止される。同様に、脚部シール目が同期して形成され、これが残りのフィルムチューブ１０を封止し、それによりその後に製造されるフィルム袋１の基を形成する。
【００３７】
材料ウェブ８の動きと封止ステーション１２との間の同期は不要である。というのも、弱体化線７は、どのみち搬送方向に延在しているからである。これにより、フィルム材料８の搬送速度に対して封止ステーションの繰り返し周波数（Ｔａｋｔｕｎｇ）を変更することで、同じフィルム材料８から異なる大きさのフィルム包装体１を製造することができる。
【００３８】
図２Ｂには、ＨＦＦＳ（水平ＦＦＳ）（横型ピロー包装）設備の代替的な方法の実施例が示されている。この例では、前面部２を形成するためと、背面部３を形成するためとに設けられたフィルム材料が、別々のフィルムウェブ８，８‘として供給される。いずれも、既に搬送方向に延在する弱体化線７が設けられている。搬送ベルト１３上に導かれた背面部３形成用のフィルム材料８の上に、不図示の供給部により製品１４が載置される。次に、これが前面部２形成用のフィルム材料８‘により被覆される。前面部２と背面部３とは、側方の縁部４の部分で縦シール目により互いに接合されている。次に、組み合わされた裁断・封止ステーション１２において、搬送方向を横切るように延在する横シール目が入れられ、このシール目が前面部２を背面部３に接合する。同時に、横シール目６は、個々のフィルム包装体１を所定長さに切り離すために、その長手方向に沿って分割される。
【００３９】
図３Ａ及び３Ｂは、本発明によるフィルム包装体を開封するための考えられ得る変形例を二つの実施例において示す。図３Ａにおいて、弱体化線７も入裂補助部１５も、フィルム包装体１の左半分にだけ設けられている。フィルム包装体は、入裂補助部１５のところで裂け始めて弱体化線７のところで或いは弱体化線７の間で延在する裂け目により、この領域で分割することができる。その後、フィルム包装体の小さい方の部分が取りのけられ、本実施例では直方形状の製品１４が、前面部２と背面部３との間の包装内部空間から側方に飛び出している。製品１４は、この状態で、既に利用することができ或いは横手方向ｑに取り出すことができる。
【００４０】
図３Ｂによる他の変形例において、弱体化線７と入裂補助部１５は、フィルム包装体１の前面部２及び背面部３の真ん中の３分の１にのみ設けられている。フィルム包装体１は、終端縁部５から部分的に裂け目が入れられ、上縁において引き離されている。これにより、本実施例では、棒状の製品１４が長手方向ｌに開封部から飛び出している。こうして、製品１４は、触らなくても安全に取り扱うことができる。
【図１】
2017145051.tif 000003
【図２Ａ】
2017145051.tif 000004
【図２Ｂ】
2017145051.tif 000005
【図３Ａ】
2017145051.tif 000006
【図３Ｂ】
2017145051.tif 000007
【外国語明細書】
2017145051000001.pdf